Podtech/llm-jp-corpus-v4-ja_patent huggingface dataset:
【手続補正書】
【提出日】平成18年7月5日(2006.7.5)
【手続補正１】
【補正対象書類名】特許請求の範囲
【補正対象項目名】全文
【補正方法】変更
【補正の内容】
【特許請求の範囲】
【請求項１】
複数の図柄列が変動表示される表示手段を備えた遊技機であって、
前記表示手段にて所定の演出を実行する演出制御手段と、
遊技者によって入力操作が行われる入力操作手段と、
を備え、
前記演出制御手段は、所定の撮影対象画像表示条件が成立した状態で前記入力操作手段による所定の入力操作が検出されたことに基づいて、遊技者によって撮影される撮影対象画像を前記表示手段にて表示させることを特徴とする遊技機。
【請求項２】
前記演出制御手段は、所定の撮影対象画像表示条件が成立した状態で前記入力操作手段による所定の入力操作が検出されたことに基づいて、前記所定の演出の進行を停止させて前記撮影対象画像の表示を行うことを特徴とする請求項１に記載の遊技機。
【請求項３】
前記演出制御手段は、前記入力操作手段による所定の入力操作を検出した時点から一定時間に亘り前記所定の演出の進行を一時的に停止させた後、前記所定の演出の進行を再開することを特徴とする請求項２に記載の遊技機。
【請求項４】
前記演出制御手段は、前記所定の演出の進行が停止している間に、前記入力操作手段による他の所定の入力操作が検出されたことに基づいて、前記所定の演出の進行を再開することを特徴とする請求項２又は３のいずれかに記載の遊技機。
【請求項５】
前記演出制御手段は、前記所定の演出において所定の画像を動きのある態様で表示させると共に、前記所定の撮影対象画像表示条件が成立した状態で前記入力操作手段による所定の入力操作が検出されたことに基づいて、前記所定の画像の少なくとも一部の動きを停止させて前記所定の画像を前記撮影対象画像として表示することを特徴とする請求項１乃至４のいずれかに記載の遊技機。
【請求項６】
前記演出制御手段は、前記所定の画像の少なくとも一部が停止させると共に、前記所定の画像を個々に識別するための識別情報を前記所定の画像と共に表示させることを特徴とする請求項５に記載の遊技機。
【請求項７】
前記演出制御手段は、前記所定の画像の少なくとも一部を停止させると共に、前記所定の画像の少なくとも一部を拡大表示することを特徴とする請求項５又は６に記載の遊技機。
【手続補正書】
【提出日】平成18年4月17日(2006.4.17)
【手続補正１】
【補正対象書類名】明細書
【補正対象項目名】特許請求の範囲
【補正方法】変更
【補正の内容】
【特許請求の範囲】
【請求項１】
遊技盤面上に発射された遊技球が特定の入賞口に入賞又は特定の通過口を通過するタイミングに起因して抽出される乱数値に従って遊技者に有利なゲーム内容とするか否かを決定する主制御基板と、
賞球を払い出す賞球払出装置を制御する賞球制御基板と、
該賞球払出装置から排出される賞球を検出すると賞球検出信号を出力する賞球検出手段と、
遊技盤面上の各入賞口への入賞球を検出すると入賞検出信号を出力する入賞検出手段と、
を含み構成された弾球遊技機であって、
前記入賞検出手段のうち、前記乱数値を抽出するための始動口スイッチと、前記各入賞口のうち入賞個数により開放を制御される入賞口への入賞を検出するカウントスイッチと、を前記主制御基板に直接接続し、
前記賞球制御基板に、更に、
前記始動口スイッチ及びカウントスイッチを含む全ての前記入賞検出手段及び前記賞球検出手段が出力する各々の検出信号を直接取得する検出信号取得手段と、
該検出信号取得手段が取得した前記入賞検出信号に基づき前記賞球払出装置による払い出しが未了の賞球数に相当する賞球データを加算演算し、該検出信号取得手段が取得した前記賞球検出信号に基づき前記賞球データを減算演算する賞球データ演算手段と、
該賞球データ演算手段により演算された賞球デ−タを記憶保持する記憶保持手段と、
該記憶保持手段により記憶された賞球データに従って賞球払出装置に賞球を払い出すよう指示する賞球指示手段と、
を備えたことを特徴とする弾球遊技機。
【請求項２】
遊技盤面上に発射された遊技球が特定の入賞口に入賞するタイミングに起因して抽出される乱数値に従って遊技者に有利なゲーム内容とするか否かを決定する主制御基板と、
賞球を払い出す賞球払出装置を制御する賞球制御基板と、
該賞球払出装置から排出される賞球を検出すると賞球検出信号を出力する賞球検出手段と、
遊技盤面上の各入賞口への入賞球を検出すると入賞検出信号を出力する入賞検出手段と、
を含み構成された弾球遊技機であって、
前記賞球制御基板に、更に、
前記入賞検出手段が出力する入賞検出信号のうち、前記乱数値を抽出するための前記特定入賞口への入賞球に対応する入賞検出信号と、前記各入賞口のうち入賞個数により開放を制御される入賞口への入賞を検出するカウントスイッチが出力する入賞検出信号と、を前記主制御基板を介して直接取得し、且つ前記特定入賞口及び前記カウントスイッチを備えた入賞口以外への入賞球に対応する入賞検出信号を他の制御基板を介せず直接に取得すると共に、前記賞球検出手段が出力する賞球検出信号を他の制御基板を介せず直接取得する検出信号取得手段と、
該検出信号取得手段が取得した前記入賞検出信号に基づき前記賞球払出装置による払い出しが未了の賞球数に相当する賞球データを加算演算し、該検出信号取得手段が取得した前記賞球検出信号に基づき前記賞球データを減算演算する賞球データ演算手段と、
該賞球データ演算手段により演算された賞球デ−タを記憶保持する記憶保持手段と、
該記憶保持手段により記憶された賞球データに従って賞球払出装置に賞球を払い出すよう指示する賞球指示手段と、
を備えたことを特徴とする弾球遊技機。
【手続補正２】
【補正対象書類名】明細書
【補正対象項目名】０００４
【補正方法】変更
【補正の内容】
【０００４】
【課題を解決するための手段及び効果】
前記課題を解決するため請求項１に記載の遊技機は、
遊技盤面上に発射された遊技球が特定の入賞口に入賞又は特定の通過口を通過するタイミングに起因して抽出される乱数値に従って遊技者に有利なゲーム内容とするか否かを決定する主制御基板と、
賞球を払い出す賞球払出装置を制御する賞球制御基板と、
該賞球払出装置から排出される賞球を検出すると賞球検出信号を出力する賞球検出手段と、
遊技盤面上の各入賞口への入賞球を検出すると入賞検出信号を出力する入賞検出手段と、
を含み構成された弾球遊技機であって、
前記入賞検出手段のうち、前記乱数値を抽出するための始動口スイッチと、前記各入賞口のうち入賞個数により開放を制御される入賞口への入賞を検出するカウントスイッチと、を前記主制御基板に直接接続し、
前記賞球制御基板に、更に、
前記始動口スイッチ及びカウントスイッチを含む全ての前記入賞検出手段及び前記賞球検出手段が出力する各々の検出信号を直接取得する検出信号取得手段と、
該検出信号取得手段が取得した前記入賞検出信号に基づき前記賞球払出装置による払い出しが未了の賞球数に相当する賞球データを加算演算し、該検出信号取得手段が取得した前記賞球検出信号に基づき前記賞球データを減算演算する賞球データ演算手段と、
該賞球データ演算手段により演算された賞球デ−タを記憶保持する記憶保持手段と、
該記憶保持手段により記憶された賞球データに従って賞球払出装置に賞球を払い出すよう指示する賞球指示手段と、を備えたことを特徴とする。
【手続補正３】
【補正対象書類名】明細書
【補正対象項目名】００１３
【補正方法】変更
【補正の内容】
【００１３】
請求項２に記載の弾球遊技機は、
遊技盤面上に発射された遊技球が特定の入賞口に入賞するタイミングに起因して抽出される乱数値に従って遊技者に有利なゲーム内容とするか否かを決定する主制御基板と、
賞球を払い出す賞球払出装置を制御する賞球制御基板と、
該賞球払出装置から排出される賞球を検出すると賞球検出信号を出力する賞球検出手段と、
遊技盤面上の各入賞口への入賞球を検出すると入賞検出信号を出力する入賞検出手段と、
を含み構成された弾球遊技機であって、
前記賞球制御基板に、更に、
前記入賞検出手段が出力する入賞検出信号のうち、前記乱数値を抽出するための前記特定入賞口への入賞球に対応する入賞検出信号と、前記各入賞口のうち入賞個数により開放を制御される入賞口への入賞を検出するカウントスイッチが出力する入賞検出信号と、を前記主制御基板を介して直接取得し、且つ前記特定入賞口及び前記カウントスイッチを備えた入賞口以外への入賞球に対応する入賞検出信号を他の制御基板を介せず直接に取得すると共に、前記賞球検出手段が出力する賞球検出信号を他の制御基板を介せず直接取得する検出信号取得手段と、
該検出信号取得手段が取得した前記入賞検出信号に基づき前記賞球払出装置による払い出しが未了の賞球数に相当する賞球データを加算演算し、該検出信号取得手段が取得した前記賞球検出信号に基づき前記賞球データを減算演算する賞球データ演算手段と、
該賞球データ演算手段により演算された賞球デ−タを記憶保持する記憶保持手段と、
該記憶保持手段により記憶された賞球データに従って賞球払出装置に賞球を払い出すよう指示する賞球指示手段と、
を備えたことを特徴とする。
【手続補正書】
【提出日】平成18年9月5日(2006.9.5)
【手続補正１】
【補正対象書類名】明細書
【補正対象項目名】特許請求の範囲
【補正方法】変更
【補正の内容】
【特許請求の範囲】
【請求項１】  水和物スラリの利用サイトへ水和物スラリを生成する薬剤を供給するにあたり、水和物スラリ生成薬剤の濃縮水溶液を利用サイトへ供給し、利用サイトにおいて水和物スラリ生成薬剤の濃縮水溶液を希釈して所定の濃度とすることを特徴とする水和物スラリ生成薬剤の供給方法。
【請求項２】  水和物スラリの利用サイトへ水和物スラリを生成する薬剤を供給するにあたり、水和物スラリ生成薬剤の濃縮水溶液を利用サイトへ供給し、利用サイトにおいて水和物スラリ生成薬剤の濃縮水溶液を希釈するとともに過冷却解除剤として微粒子を混入することを特徴とする水和物スラリ生成薬剤の供給方法。
【請求項３】  水和物スラリの利用サイトへ水和物スラリを生成する薬剤を供給するにあたり、水和物スラリ生成薬剤の濃縮水溶液を利用サイトへ供給し、利用サイトにおいて水和物スラリ生成薬剤の濃縮水溶液を水道上水または工業用水を用いて希釈することを特徴とする水和物スラリ生成薬剤の供給方法。
【請求項４】  水和物スラリの利用サイトへ水和物スラリ生成薬剤を供給するにあたり、水和物の調和融点を与える濃度の水和物スラリ生成薬剤の水溶液または水和物の調和融点を与える濃度以上の水和物スラリ生成薬剤の水溶液を利用サイトへ供給し、利用サイトにおいて当該水和物スラリ生成薬剤の水溶液を希釈することを特徴とする水和物スラリ生成薬剤の供給方法。
【請求項５】  水和物スラリの利用サイトへ水和物スラリ生成薬剤を供給するにあたり、水和物の調和融点を与える濃度の水和物スラリ生成薬剤の水溶液または水和物の調和融点を与える濃度以上の水和物スラリ生成薬剤の水溶液に対して濃度調整を施し所望の濃度の水和物スラリ生成薬剤の水溶液を作製し、これを利用サイトへ供給し、利用サイトにおいて当該水和物スラリ生成薬剤の水溶液を希釈することを特徴とする水和物スラリ生成薬剤の供給方法。
【請求項６】  利用サイトにおいて、前記水和物スラリ生成薬剤の濃縮水溶液または前記水和物スラリ生成薬剤の水溶液を希釈する際に、界面活性剤と防食剤のうち少なくとも一方を混入することを特徴とする請求項１ないし５のいずれかに記載の水和物スラリ生成薬剤の供給方法。
【請求項７】  前記濃縮水溶液または前記水和物スラリ生成薬剤の水溶液に、過冷却解除剤と界面活性剤および防食剤のうち少なくとも一つを予め添加しておくことを特徴とする請求項１ないし５のいずれかに記載の水和物スラリ生成薬剤の供給方法。
【請求項８】  過冷却解除剤と界面活性剤および防食剤のうち少なくとも一つを添加した水を用いて、前記濃縮水溶液を希釈することを特徴とする請求項１ないし５のいずれかに記載の水和物スラリ生成薬剤の供給方法。
【請求項９】  前記濃縮水溶液を水で希釈した後、水の追加量に見合った量の過冷却解除剤と界面活性剤および防食剤のうち少なくとも一つを添加することを特徴とする請求項８に記載の水和物スラリ生成薬剤の供給方法。
【請求項１０】  水和物スラリの利用サイトへ水和物スラリを生成する薬剤を供給するにあたり、水和物スラリ生成薬剤の粉末を利用サイトへ供給し、利用サイトにおいて水和物スラリ生成薬剤の粉末を水に溶解して所定の濃度の水溶液とすることを特徴とする水和物スラリ生成薬剤の供給方法。
【請求項１１】  水和物スラリの利用サイトへ水和物スラリを生成する薬剤を供給するにあたり、水和物スラリ生成薬剤の粉末を利用サイトへ供給し、利用サイトにおいて水和物スラリ生成薬剤の粉末を水に溶解するとともに過冷却解除剤として微粒子を混入することを特徴とする水和物スラリ生成薬剤の供給方法。
【請求項１２】  水和物スラリの利用サイトへ水和物スラリを生成する薬剤を供給するにあたり、水和物スラリ生成薬剤の粉末を利用サイトへ供給し、利用サイトにおいて水和物スラリ生成薬剤の粉末を水道上水または工業用水を用いて溶解することを特徴とする水和物スラリ生成薬剤の供給方法。
【請求項１３】  水和物スラリ生成薬剤の粉末を溶解する際に、界面活性剤と防食剤のうち少なくとも一つを混入することを特徴とする請求項１０ないし１２のいずれかに記載の水和物スラリ生成薬剤の供給方法。
【請求項１４】  過冷却解除剤と界面活性剤および防食剤のうち少なくとも一つを添加した水を用いて、前記水和物スラリ生成薬剤の粉末を溶解することを特徴とする請求項１０ないし１２のいずれかに記載の水和物スラリ生成薬剤の供給方法。
【手続補正書】
【提出日】平成18年7月3日(2006.7.3)
【手続補正１】
【補正対象書類名】明細書
【補正対象項目名】特許請求の範囲
【補正方法】変更
【補正の内容】
【特許請求の範囲】
【請求項１】  所定のパターンを基板保持手段に保持された基板上に露光する露光装置において、前記基板保持手段は前記基板の複数の載置方向に対応した位置に設けられた、基板位置検出用のセンサと基板吸着用のバキューム手段とを有することを特徴とする露光装置。
【請求項２】  前記バキューム手段は、前記複数の載置方向に共通して機能することを特徴とする請求項１に記載の露光装置。
【請求項３】  前記基板の載置方向は縦横のいずれかの向きであることを特徴とする請求項１または２に記載の露光装置。
【請求項４】  前記バキューム手段は複数のバキューム穴からなり、かつ各穴はいずれかの向きに載置された基板の対角線上又はほぼ対角線上に設けられたことを特徴とする請求項１〜３いずれか１つに記載の露光装置。
【請求項５】  所定のパターンを基板保持手段に保持された基板上に露光する露光装置において、前記基板の載置方向が縦横のいずれかの向きであるかを判別する判別手段を有することを特徴とする露光装置。
【請求項６】  前記基板の載置方向が縦横のいずれかの向きであるかを判別する判別手段は、外部入力により行われることを特徴とする請求項５に記載の露光装置。
【請求項７】  前記基板の載置方向が縦横のいずれかの向きであるかを判別する判別手段は、前記基板保持手段に設けられた基板位置検出用のセンサであることを特徴とする請求項５に記載の露光装置。
【請求項８】  前記基板位置検出用のセンサは、前記基板の各載置方向に対応したバキュームセンサであることを特徴とする請求項７に記載の露光装置。
【請求項９】  前記露光装置は、原板を載置したマスクステージと前記基板を載置した基板ステージを各々走査させて、前記原板に形成されているパターンを前記基板に走査露光する走査型露光装置であることを特徴とする請求項１〜８いずれか１つに記載の露光装置。
【手続補正書】
【提出日】平成18年7月12日(2006.7.12)
【手続補正１】
【補正対象書類名】明細書
【補正対象項目名】特許請求の範囲
【補正方法】変更
【補正の内容】
【特許請求の範囲】
【請求項１】  酸によりアルカリ水溶液に可溶となるレジスト用樹脂であって、式（１）で示される単量体単位、脂環式骨格を有する単量体単位、およびラクトン骨格を有する単量体単位を含むことを特徴とするレジスト用樹脂。
【化１】
2001022076.tif 000001
（Ｒ１は、水素原子、フッ素原子、塩素原子、アルキル基、またはシリル基を表し、Ｒ２，Ｒ３，Ｒ４は、それぞれ独立して、フッ素原子、塩素原子、アルキル基、アルコキシ基、塩素化アルキル基、アミノ化アルキル基、またはシロキシ基を表し、Ｇは、単結合またはアルキレン基を表し、アルキレン基は、エステル結合、エーテル結合、もしくはアミノ結合を有していてもよい。）
【請求項２】 請求項１記載のレジスト用樹脂および光酸発生剤を含有する化学増幅型レジスト組成物。
【請求項３】 請求項２記載の化学増幅型レジスト組成物を用いてレジストを形成し、ドライエッチングを行う前にレジストに活性光線の照射および／または遠赤外線もしくは熱源による加熱処理を行うことを特徴とするレジストパターン形成方法。
【手続補正２】
【補正対象書類名】明細書
【補正対象項目名】０００９
【補正方法】変更
【補正の内容】
【０００９】
すなわち、本発明は、酸によりアルカリ水溶液に可溶となるレジスト用樹脂であって、式（１）で示される単量体単位、脂環式骨格を有する単量体単位、およびラクトン骨格を有する単量体単位を含むことを特徴とするレジスト用樹脂である。
【手続補正３】
【補正対象書類名】明細書
【補正対象項目名】００１０
【補正方法】変更
【補正の内容】
【００１０】
【化２】
2001022076.tif 000002
（Ｒ１は、水素原子、フッ素原子、塩素原子、アルキル基、またはシリル基を表し、Ｒ２，Ｒ３，Ｒ４は、それぞれ独立して、フッ素原子、塩素原子、アルキル基、アルコキシ基、塩素化アルキル基、アミノ化アルキル基、またはシロキシ基を表し、Ｇは、単結合またはアルキレン基を表し、アルキレン基は、エステル結合、エーテル結合、もしくはアミノ結合を有していてもよい。）
【手続補正４】
【補正対象書類名】明細書
【補正対象項目名】００４８
【補正方法】削除
【補正の内容】
【手続補正５】
【補正対象書類名】明細書
【補正対象項目名】００４９
【補正方法】削除
【補正の内容】
【手続補正６】
【補正対象書類名】明細書
【補正対象項目名】００５０
【補正方法】削除
【補正の内容】
【手続補正７】
【補正対象書類名】明細書
【補正対象項目名】００５１
【補正方法】削除
【補正の内容】
【手続補正８】
【補正対象書類名】明細書
【補正対象項目名】００５２
【補正方法】変更
【補正の内容】
【００５２】
（合成例１）
窒素導入口、攪拌機、コンデンサーおよび温度計を備えたフラスコに、窒素雰囲気下で、１，４−ジオキサン２０．０部を入れ、攪拌しながら湯浴の温度を８０℃に上げた。２−メタクリロイルオキシ−２−メチルアダマンタン（略称：ＭＡｄＭＡ、分子量=234）２９．３部、β−メタクリロイルオキシ−γ−ブチロラクトン（略称：ＨＧＢＭＡ、分子量=170）１９．１部、（メタクリロキシメチル）ビス（トリメチルシロキシ）メチルシラン（略称：ＭＭＴＭＳ、分子量=321）４．２部、１，４−ジオキサン６２．５部、アゾビスイソブチロニトリル１．９部を混合した単量体溶液を一定速度で６時間かけて、フラスコ中に滴下し、その後、８０℃の温度を２時間保持した。次いで、得られた反応溶液をテトラヒドロフランで約２倍に希釈し、約１０倍量のメタノール中に撹拌しながら滴下し、白色の析出物（共重合体Ａ−３）の沈殿を得た。得られた沈殿を濾別し、減圧下６０℃で約４０時間乾燥した。
【手続補正９】
【補正対象書類名】明細書
【補正対象項目名】００５４
【補正方法】変更
【補正の内容】
【００５４】
（合成例２）
合成例１の（メタクリロキシメチル）ビス（トリメチルシロキシ）メチルシラン（略称：ＭＭＴＭＳ、分子量=321）４．２部を、メタクリロキシプロピルトリメトキシシラン（略称：ＭＰＴＭＳ、分子量=248）３．２部に変更する以外は同様に合成し、共重合体Ａ−４を得た。
【手続補正１０】
【補正対象書類名】明細書
【補正対象項目名】００６０
【補正方法】変更
【補正の内容】
【００６０】
実施例１〜２および比較例１
表１に示した各成分を混合して均一溶液としたのち、孔径０．１μｍのメンブランフィルターでろ過し、レジスト組成物溶液を調整した。その後、各組成物溶液をシリコンウエハー上にスピンコートしたのち、ホットプレートを用いて、１２０℃で６０秒間プリベークを行い、膜厚０．５μｍのレジスト膜を形成した。次いで、ＫｒＦエキシマレーザー露光機あるいはＡｒＦエキシマレーザー露光機を使用して露光した後、ホットプレートを用いて１２０℃で６０秒間露光後ベークを行った。次いで、２．３８重量％水酸化テトラメチルアンモニウム水溶液を用いて室温で現像し、純水で洗浄し、乾燥して、レジストパターンを形成した。得られたレジストパターンの評価結果を表２に示した。また、上述した条件にて各レジストのエッチング速度を測定した結果を表２に示した。
【手続補正１１】
【補正対象書類名】明細書
【補正対象項目名】００６２
【補正方法】変更
【補正の内容】
【００６２】
【表１】
2001022076.tif 000003
【手続補正１２】
【補正対象書類名】明細書
【補正対象項目名】００６３
【補正方法】削除
【補正の内容】
【手続補正１３】
【補正対象書類名】明細書
【補正対象項目名】００６４
【補正方法】変更
【補正の内容】
【００６４】
【表２】
2001022076.tif 000004
【手続補正書】
【提出日】平成18年7月12日(2006.7.12)
【手続補正１】
【補正対象書類名】明細書
【補正対象項目名】特許請求の範囲
【補正方法】変更
【補正の内容】
【特許請求の範囲】
【請求項１】  酸によりアルカリ水溶液に可溶となるレジスト用樹脂であって、式（１）および（２）から選ばれる少なくとも１種の構造を有する単量体単位、脂環式骨格を有する単量体単位、およびラクトン骨格を有する単量体単位を含むレジスト用樹脂。
【化１】
2001022073.tif 000001
（Ｒは水素原子あるいはアルキル基、ｎは０から４の整数）
【化２】
2001022073.tif 000002
（Ｒは水素原子あるいはアルキル基、ｎは０から４の整数）
【請求項２】 請求項１記載のレジスト用樹脂および光酸発生剤を含有する化学増幅型レジスト組成物。
【手続補正２】
【補正対象書類名】明細書
【補正対象項目名】０００９
【補正方法】変更
【補正の内容】
【０００９】
すなわち、本発明は、酸によりアルカリ水溶液に可溶となるレジスト用樹脂であって、式（１）および（２）から選ばれる少なくとも１種の構造を有する単量体単位、脂環式骨格を有する単量体単位、およびラクトン骨格を有する単量体単位を含むレジスト用樹脂である。
【手続補正３】
【補正対象書類名】明細書
【補正対象項目名】００５０
【補正方法】削除
【補正の内容】
【手続補正４】
【補正対象書類名】明細書
【補正対象項目名】００５１
【補正方法】削除
【補正の内容】
【手続補正５】
【補正対象書類名】明細書
【補正対象項目名】００５２
【補正方法】削除
【補正の内容】
【手続補正６】
【補正対象書類名】明細書
【補正対象項目名】００５３
【補正方法】削除
【補正の内容】
【手続補正７】
【補正対象書類名】明細書
【補正対象項目名】００５４
【補正方法】変更
【補正の内容】
【００５４】
（合成例１）
窒素導入口、攪拌機、コンデンサーおよび温度計を備えたフラスコに、窒素雰囲気下で、１，４−ジオキサン２０．０部を入れ、攪拌しながら湯浴の温度を８０℃に上げた。２−メタクリロイルオキシ−２−メチルアダマンタン（略称：ＭＡｄＭＡ、分子量=234）２９．３部、β−メタクリロイルオキシ−γ−ブチロラクトン（略称：ＨＧＢＭＡ、分子量=170）１９．１部、２−メタクリロイルオキシ無水コハク酸（略称：ＭＡＭＡ、分子量=184）２．３部、１，４−ジオキサン６２．５部、アゾビスイソブチロニトリル１．９部を混合した単量体溶液を一定速度で６時間かけて、フラスコ中に滴下し、その後、８０℃の温度を２時間保持した。次いで、得られた反応溶液をテトラヒドロフランで約２倍に希釈し、約１０倍量のメタノール中に撹拌しながら滴下し、白色の析出物（共重合体Ａ−３）の沈殿を得た。得られた沈殿を濾別し、減圧下６０℃で約４０時間乾燥した。ついで、得られた共重合体Ａ−３の各物性を測定した。重量平均分子量は９，２００、共重合組成比はＭＡｄＭＡ／ＨＧＢＭＡ／ＭＡＭＡ＝５０／４５／５モル％であった。
【手続補正８】
【補正対象書類名】明細書
【補正対象項目名】００５５
【補正方法】変更
【補正の内容】
【００５５】
（合成例２）
合成例１の２−メタクリロイルオキシ無水コハク酸（略称：ＭＡＭＡ、分子量=184）２．３部を、１，３−ジオキサン−２−オン−５−イルメタクリレート（略称：ＤＯＭＡ、分子量=186）２．３部に変更する以外は同様に合成し、共重合体Ａ−４を得た。
【手続補正９】
【補正対象書類名】明細書
【補正対象項目名】００６１
【補正方法】変更
【補正の内容】
【００６１】
実施例１〜２および比較例１
表１に示した各成分を混合して均一溶液としたのち、孔径０．１μｍのメンブランフィルターでろ過し、レジスト組成物溶液を調整した。その後、各組成物溶液をシリコンウエハー上にスピンコートしたのち、ホットプレートを用いて、１２０℃で６０秒間プリベークを行い、膜厚０．５μｍのレジスト膜を形成した。次いで、ＫｒＦエキシマレーザー露光機あるいはＡｒＦエキシマレーザー露光機を使用して露光した後、ホットプレートを用いて１２０℃で６０秒間露光後ベークを行った。次いで、２．３８重量％水酸化テトラメチルアンモニウム水溶液を用いて室温で現像し、純水で洗浄し、乾燥して、レジストパターンを形成した。得られたレジストパターンの評価結果を表２に示した。
【手続補正１０】
【補正対象書類名】明細書
【補正対象項目名】００６３
【補正方法】変更
【補正の内容】
【００６３】
【表１】
2001022073.tif 000003
【手続補正１１】
【補正対象書類名】明細書
【補正対象項目名】００６４
【補正方法】削除
【補正の内容】
【手続補正１２】
【補正対象書類名】明細書
【補正対象項目名】００６５
【補正方法】変更
【補正の内容】
【００６５】
【表２】
2001022073.tif 000004
【手続補正書】
【提出日】平成18年7月12日(2006.7.12)
【手続補正１】
【補正対象書類名】明細書
【補正対象項目名】特許請求の範囲
【補正方法】変更
【補正の内容】
【特許請求の範囲】
【請求項１】  酸によりアルカリ水溶液に可溶となるレジスト用樹脂であって、式（２）および（３）から選ばれる少なくとも１種の構造を有する単量体単位が含まれていることを特徴とするレジスト用樹脂。
【化１】
2001022075.tif 000001
（Ｒは水素原子またはアルキル基、ｎは０〜１０の整数）
【化２】
2001022075.tif 000002
（Ｒは水素原子またはアルキル基、ｍは０〜３の整数、ｎは０〜１０の整数）
【請求項２】  酸によりアルカリ水溶液に可溶となるレジスト用樹脂が、脂環式骨格を有する単量体単位と、ラクトン骨格を有する単量体単位を含むことを特徴とする請求項１のレジスト用樹脂。
【請求項３】 請求項１記載のレジスト用樹脂および光酸発生剤を含有する化学増幅型レジスト組成物。
【請求項４】 請求項３記載の化学増幅型レジスト組成物を用いてレジストを形成し、ドライエッチングを行う前にレジストに活性光線の照射および／または遠赤外線もしくは熱源による加熱処理を行うことを特徴とするレジストパターン形成方法。
【手続補正２】
【補正対象書類名】明細書
【補正対象項目名】０００９
【補正方法】変更
【補正の内容】
【０００９】
すなわち、本発明は、酸によりアルカリ水溶液に可溶となるレジスト用樹脂であって、式（２）および（３）から選ばれる少なくとも１種の構造を有する単量体単位が含まれていることを特徴とするレジスト用樹脂である。
【手続補正３】
【補正対象書類名】明細書
【補正対象項目名】００１０
【補正方法】削除
【補正の内容】
【手続補正４】
【補正対象書類名】明細書
【補正対象項目名】００１１
【補正方法】変更
【補正の内容】
【００１１】
【化３】
2001022075.tif 000003
（Ｒは水素原子またはアルキル基、ｎは０〜１０の整数）
【手続補正５】
【補正対象書類名】明細書
【補正対象項目名】００１２
【補正方法】変更
【補正の内容】
【００１２】
【化４】
2001022075.tif 000004
（Ｒは水素原子またはアルキル基、ｍは０〜３の整数、ｎは０〜１０の整数）
【手続補正６】
【補正対象書類名】明細書
【補正対象項目名】００１４
【補正方法】変更
【補正の内容】
【００１４】
【発明の実施の形態】
以下、本発明を詳しく説明する。
まず、酸によりアルカリ水溶液に可溶となる樹脂について説明する。酸によりアルカリ水溶液に可溶となる樹脂は、前記式（２）および（３）から選ばれる少なくとも１種の構造を有する単量体単位が含まれていなければならない。これらの単量体単位は必要に応じて単独あるいは２種以上を組み合わせることができる。これらの単量体単位は樹脂中に０．５〜２０モル％含まれていることが
【手続補正７】
【補正対象書類名】明細書
【補正対象項目名】００１６
【補正方法】変更
【補正の内容】
【００１６】
前記式（２）および（３）から選ばれる少なくとも１種の構造を有する単量体単位としては、共重合により容易に樹脂骨格中へ導入できる（メタ）アクリレート系の単量体単位が好ましい。具体的には、１，３−エポキシ−２−（メタ）アクリロイルオキシメチル−２−メチルプロパン、１，３−エポキシ−２−（メタ）アクリロイルオキシメチル−２−エチルプロパン、１，３−エポキシ−２−（メタ）アクリロイルオキシメチル−２−プロピルプロパン、１，３−エポキシ−２−（メタ）アクリロイルオキシメチル−２−ｔ−ブチルプロパン、１，２−エポキシ−４−メタクリロイルオキシメチルシクロヘキサン、１，２−エポキシ−４−アリルシクロヘキサン、１，２−エポキシ−３−メタクリロイルオキシメチルシクロペンタン、１，２−エポキシ−５−メタクリロイルオキシメチルシクロヘプタン、１，２−エポキシ−５−メタクリロイルオキシメチルシクロオクタン等が挙げられる。
【手続補正書】
【提出日】平成18年7月12日(2006.7.12)
【手続補正１】
【補正対象書類名】明細書
【補正対象項目名】特許請求の範囲
【補正方法】変更
【補正の内容】
【特許請求の範囲】
【請求項１】  Ｎ−メチロールアクリルアミドを単量体単位として含むことを特徴とする酸によりアルカリ水溶液に可溶となるレジスト用樹脂。
【請求項２】  酸によりアルカリ水溶液に可溶となるレジスト用樹脂が、脂環式骨格を有する単量体単位と、ラクトン骨格を有する単量体単位を含むことを特徴とする請求項１記載のレジスト用樹脂。
【請求項３】  請求項１記載のレジスト用樹脂および光酸発生剤を含有する化学増幅型レジスト組成物。
【請求項４】  請求項３記載の化学増幅型レジスト組成物を用いてレジストを形成し、ドライエッチングを行う前にレジストに活性光線の照射および／または遠赤外線もしくは熱源による加熱処理を行うことを特徴とするレジストパターン形成方法。
【手続補正２】
【補正対象書類名】明細書
【補正対象項目名】０００９
【補正方法】変更
【補正の内容】
【０００９】
すなわち、本発明は、Ｎ−メチロールアクリルアミドを単量体単位として含むことを特徴とする酸によりアルカリ水溶液に可溶となるレジスト用樹脂である。
【手続補正３】
【補正対象書類名】明細書
【補正対象項目名】００１１
【補正方法】変更
【補正の内容】
【００１１】
【発明の実施の形態】
以下、本発明を詳しく説明する。
まず、酸によりアルカリ水溶液に可溶となる樹脂について説明する。酸によりアルカリ水溶液に可溶となる樹脂は、Ｎ−メチロールアクリルアミド単量体単位が含まれていなければならない。この単量体単位は樹脂中に０．５〜２０モル％含まれていることが好ましく、特に１〜１０モル％が好ましい。
【手続補正４】
【補正対象書類名】明細書
【補正対象項目名】００１２
【補正方法】変更
【補正の内容】
【００１２】
本願発明者らは、Ｎ−メチロールアクリルアミドを共重合することにより、ドライエッチング耐性を向上させることが可能となり、ドライエッチング後のレジスト表面の荒れが低減することを見出した。
【手続補正５】
【補正対象書類名】明細書
【補正対象項目名】００４６
【補正方法】変更
【補正の内容】
【００４６】
（参考合成例１）  
窒素導入口、攪拌機、コンデンサーおよび温度計を備えたフラスコに、窒素雰囲気下で、１，４−ジオキサン２０．０部を入れ、攪拌しながら湯浴の温度を８０℃に上げた。ｐ−ｔ−ブトキシスチレン（略称：ＰＴＢＳＴ、分子量=176）２２．０部、ｐ−ヒドロキシスチレン（略称：ＨＳ、分子量=120）１３．５部、アクリロニトリル（略称：ＡＮ、分子量=53）０．７部、１，４−ジオキサン６２．５部、アゾビスイソブチロニトリル１．９部を混合した単量体溶液を一定速度で６時間かけて、フラスコ中に滴下し、その後、８０℃の温度を２時間保持した。次いで、得られた反応溶液をテトラヒドロフランで約２倍に希釈し、約１０倍量の水中に撹拌しながら滴下し、白色の析出物（共重合体Ａ−１）の沈殿を得た。得られた沈殿を濾別し、減圧下６０℃で約４０時間乾燥した。
【手続補正６】
【補正対象書類名】明細書
【補正対象項目名】００４８
【補正方法】変更
【補正の内容】
【００４８】
（合成例１）
参考合成例１のアクリロニトリル（略称：ＡＮ、分子量=53）０．７部を、Ｎ−メチロールアクリルアミド（略称：ＮＭＡＡ、分子量=１０１）１．３部に変更する以外は同様に合成し、共重合体Ａ−２を得た。
【手続補正７】
【補正対象書類名】明細書
【補正対象項目名】００５０
【補正方法】変更
【補正の内容】
【００５０】
（参考合成例２）
窒素導入口、攪拌機、コンデンサーおよび温度計を備えたフラスコに、窒素雰囲気下で、１，４−ジオキサン２０．０部を入れ、攪拌しながら湯浴の温度を８０℃に上げた。２−メタクリロイルオキシ−２−メチルアダマンタン（略称：ＭＡｄＭＡ、分子量=234）２９．３部、β−メタクリロイルオキシ−γ−ブチロラクトン（略称：ＨＧＢＭＡ、分子量=170）１９．１部、アクリロニトリル（略称：ＡＮ、分子量=53）０．７部、１，４−ジオキサン６２．５部、アゾビスイソブチロニトリル１．９部を混合した単量体溶液を一定速度で６時間かけて、フラスコ中に滴下し、その後、８０℃の温度を２時間保持した。次いで、得られた反応溶液をテトラヒドロフランで約２倍に希釈し、約１０倍量のメタノール中に撹拌しながら滴下し、白色の析出物（共重合体Ａ−３）の沈殿を得た。得られた沈殿を濾別し、減圧下６０℃で約４０時間乾燥した。
【手続補正８】
【補正対象書類名】明細書
【補正対象項目名】００５２
【補正方法】変更
【補正の内容】
【００５２】
（合成例２）参考合成例２のアクリロニトリル（略称：ＡＮ、分子量=53）０．７部を、Ｎ−メチロールアクリルアミド（略称：ＮＭＡＡ、分子量=１０１）１．３部に変更する以外は同様に合成し、共重合体Ａ−４を得た。
【手続補正９】
【補正対象書類名】明細書
【補正対象項目名】００５８
【補正方法】変更
【補正の内容】
【００５８】
実施例１〜２および比較例１〜２
表１に示した各成分を混合して均一溶液としたのち、孔径０．１μｍのメンブランフィルターでろ過し、レジスト組成物溶液を調整した。その後、各組成物溶液をシリコンウエハー上にスピンコートしたのち、ホットプレートを用いて、１２０℃で６０秒間プリベークを行い、膜厚０．５μｍのレジスト膜を形成した。次いで、ＫｒＦエキシマレーザー露光機あるいはＡｒＦエキシマレーザー露光機を使用して露光した後、ホットプレートを用いて１２０℃で６０秒間露光後ベークを行った。次いで、２．３８重量％水酸化テトラメチルアンモニウム水溶液を用いて室温で現像し、純水で洗浄し、乾燥して、レジストパターンを形成した。得られたレジストパターンの評価結果を表２および表３に示した。また、上述した条件にて各レジストのエッチング速度を測定した結果を表２および表３に示した。
【手続補正１０】
【補正対象書類名】明細書
【補正対象項目名】００６０
【補正方法】変更
【補正の内容】
【００６０】
【表１】
2001022074.tif 000001
【手続補正１１】
【補正対象書類名】明細書
【補正対象項目名】００６１
【補正方法】変更
【補正の内容】
【００６１】
【表２】
2001022074.tif 000002
【手続補正１２】
【補正対象書類名】明細書
【補正対象項目名】００６２
【補正方法】変更
【補正の内容】
【００６２】
【表３】
2001022074.tif 000003
【手続補正書】
【提出日】平成18年6月23日(2006.6.23)
【手続補正１】
【補正対象書類名】明細書
【補正対象項目名】請求項１
【補正方法】変更
【補正の内容】
【請求項１】  指示具から座標入力画面に照射される光に対応した座標を生成する座標入力装置であって、
前記座標入力画面に画像を投射する投射手段と、
前記指示具からの光を透過する光学特性を有する領域を備え、前記座標入力画面の入力面からの可視光領域の外光の反射を防止する防止手段と
を備えることを特徴とする座標入力装置。
【手続補正２】
【補正対象書類名】明細書
【補正対象項目名】００１２
【補正方法】変更
【補正の内容】
【００１２】
【課題を解決するための手段】
上記の目的を達成するための本発明による座標入力装置は以下の構成を備える。即ち、
指示具から座標入力画面に照射される光に対応した座標を生成する座標入力装置であって、
前記座標入力画面に画像を投射する投射手段と、
前記指示具からの光を透過する光学特性を有する領域を備え、前記座標入力画面の入力面からの可視光領域の外光の反射を防止する防止手段と
を備える。
【手続補正書】
【提出日】平成18年7月4日(2006.7.4)
【手続補正１】
【補正対象書類名】明細書
【補正対象項目名】特許請求の範囲
【補正方法】変更
【補正の内容】
【特許請求の範囲】
【請求項１】  クライアントにソフトウエアを配信するシステムであり、
前記クライアントは、
所望のソフトウエアの初期送信、またはその少なくとも一部の機能を置き換えるモジュールの送信の一方を選択的に要求するソフトウエア要求部と、
配信された前記ソフトウエアまたは前記モジュールを取得するソフトウエア取得部と、を含み、
前記ソフトウエア要求部は、前記クライアントにおいて実行された前記ソフトウエアの現ステージを判定する判定部を含み、
前記ソフトウエア要求部は、前記現ステージより後のステージに関するモジュールの配信を要求することを特徴とするソフトウエア配信システム。
【請求項２】  前記ソフトウエア取得部は、前記モジュールを取得したとき、そのモジュールを前記ソフトウエアの一部として組み込むことを特徴とする請求項１に記載のシステム。
【請求項３】  前記組込みの際、それ以前に前記ソフトウエアが有していた機能が少なくとも一部実行不可能にされることを特徴とする請求項２に記載のシステム。
【請求項４】  前記判定部は、ユーザーと前記ソフトウエア間の相互作用によって達成された前記ソフトウエアの内部状態に関する情報をもとに現ステージを判定することを特徴とする請求項１から３のいずれかに記載の方法。
【請求項５】  クライアントとサーバーを含むソフトウエア配信システムであり、
前記サーバーは、
前記クライアントからの要求を受け付けるクライアント要求認定部と、
前記クライアント要求認定部の指示にしたがい、前記クライアントに対してソフトウエアの初期送信、またはその少なくとも一部の機能を置き換えるモジュールの送信の一方を行うソフトウエア送信部と、
を含み、
前記クライアントは、前記要求を発行するソフトウエア要求部と、前記送信された前記ソフトウエアまたは前記モジュールを取得するソフトウエア取得部と、を含み、
前記クライアント要求認定部は、前記クライアントにおいて実行された前記ソフトウエアの現ステージを判定する判定部を含み、
前記ソフトウエア送信部は、前記現ステージより後のステージに関するモジュールを送信することを特徴とするソフトウエア配信システム。  
【請求項６】  前記現ステージより後のステージに関するモジュールは、前記現ステージ以前のステージに関して前記ソフトウエアが有していた機能の少なくとも一部を実行不可能にする機能を併せ持つことを特徴とする請求項５に記載のシステム。
【請求項７】 コンピュータにて実行可能なソフトウエアの現有機能の少なくとも一部を実行不可能にするための第１プログラムを記録する領域と、
前記ソフトウエアに組み込まれたとき、前記現有機能に代わって新たな機能を実現するための第２プログラムを記録する領域と、を含み、
前記現有機能は、前記ソフトウエアの実行過程で出現する所定のステージに関連し、前記新たな機能は、前記実行過程において前記ステージよりも後のステージを実現することを特徴とするコンピュータ読取可能な記録媒体。
【手続補正書】
【提出日】平成18年1月24日(2006.1.24)
【手続補正１】
【補正対象書類名】明細書
【補正対象項目名】００４５
【補正方法】変更
【補正の内容】
【００４５】
ファイル管理システムは、要求されたフィールドデータを転置ファイル１４から読み出す。この際、内部処理では、要求されたデータを含むブロックを入出力バッファへ読み出すことになるが、ブロックサイズが可変の場合その読出し先となる入出力バッファをどのような大きさにするかが問題となる。そこで、本実施の形態では、最大ブロックサイズを管理ファイル１５に設定してあるので、その最大ブロックサイズに等しいあるいは読み出すフィールドデータの個数に応じて最大ブロックサイズの整数倍の大きさの入出力バッファを用意すればよい。
【手続補正書】
【提出日】平成18年7月5日(2006.7.5)
【手続補正１】
【補正対象書類名】明細書
【補正対象項目名】特許請求の範囲
【補正方法】変更
【補正の内容】
【特許請求の範囲】
【請求項１】
一つのテクスチャＩＤに対応するテクスチャが複数の細度レベルに対応する複数のテクスチャデータで構成され、ピクセルデータに対し、前記テクスチャデータを利用して描画処理を行う画像処理装置において、
前記描画するピクセルデータを生成し、前記描画するピクセルデータの細度レベルを算出するレンダリング処理部と、
前記複数の細度レベルに対応する複数のテクスチャデータを記録するためのテクスチャメモリと、前記テクスチャメモリ内の複数のテクスチャデータを順番に更新するテクスチャメモリ更新手段とを有し、前記ピクセルデータを描画する際、前記ピクセルデータに含まれるテクスチャＩＤに対応するテクスチャの、前記算出した細度レベルに対応するテクスチャデータが未更新の場合、前記更新が完了した細度レベルに対応するテクスチャデータを前記テクスチャメモリから読み出してテクスチャ処理をするテクスチャ処理部とを含むことを特徴とする画像処理装置。
【請求項２】
前記テクスチャメモリ更新手段は、前記記録された複数のテクスチャデータを前記細度レベルが低いものから高いものの順に更新し、前記テクスチャ処理部は、前記算出した細度レベルに対応するテクスチャデータが未更新の場合、前記更新が完了した細度レベルのうち最も高い細度レベルに対応するテクスチャデータを前記テクスチャメモリから読み出して前記テクスチャ処理をすることを特徴とする請求項１に記載の画像処理装置。
【請求項３】
レンダリング処理手段とテクスチャ処理手段とを有する画像処理装置により行われ、一つのテクスチャＩＤに対応するテクスチャが複数の細度レベルに対応する複数のテクスチャデータで構成され、ピクセルデータに対し、前記テクスチャデータを利用して描画処理を行う画像処理方法において、
前記レンダリング処理手段が、前記描画するピクセルデータを生成し、前記描画するピクセルデータの細度レベルを算出するレンダリング処理ステップと、
前記テクスチャ処理手段が、前記複数の細度レベルに対応する複数のテクスチャデータを記録するテクスチャメモリに対して、当該記録された複数のテクスチャデータを順番に更新するテクスチャメモリ更新ステップと、
前記テクスチャ処理手段が、前記ピクセルデータを描画する際、前記ピクセルデータに含まれるテクスチャＩＤに対応するテクスチャの、前記算出した細度レベルに対応するテクスチャデータが未更新の場合、前記更新が完了した細度レベルに対応するテクスチャデータを前記テクスチャメモリから読み出してテクスチャ処理をするテクスチャ処理ステップとを含むことを特徴とする画像処理方法。
【請求項４】
前記テクスチャメモリ更新ステップでは、前記テクスチャ処理手段が，前記記録された複数のテクスチャデータを前記細度レベルが低いものから高いものの順に更新し、
前記テクスチャ処理ステップでは、前記算出した細度レベルに対応するテクスチャデータが未更新の場合、前記更新が完了した細度レベルのうち最も高い細度レベルに対応するテクスチャデータを前記テクスチャメモリから読み出してテクスチャ処理をすることを特徴とする請求項４記載の画像処理方法。
【請求項５】
一つのテクスチャＩＤに対応するテクスチャが複数の細度レベルに対応する複数のテクスチャデータで構成され、ピクセルデータに対し、前記テクスチャデータを利用して描画処理を行うためのプログラムを記録した記録媒体において、
前記描画するピクセルデータを生成し、前記描画するピクセルデータの細度レベルを算出するレンダリング処理手段と、
前記複数の細度レベルに対応する複数のテクスチャデータが記録されたテクスチャメモリ内の前記複数のテクスチャデータを順番に更新するテクスチャメモリ更新手段を有し、前記ピクセルデータを描画する際、前記ピクセルデータに含まれるテクスチャＩＤに対応するテクスチャの、前記算出した細度レベルに対応するテクスチャデータが未更新の場合、前記更新が完了した細度レベルに対応するテクスチャデータを前記テクスチャメモリから読み出してテクスチャ処理をするテクスチャ処理手段としてコンピュータを機能させるための画像処理プログラムを記録したコンピュータ読み取り可能な記録媒体。
【手続補正書】
【提出日】平成18年3月10日(2006.3.10)
【手続補正１】
【補正対象書類名】明細書
【補正対象項目名】０００８
【補正方法】変更
【補正の内容】
【０００８】
【発明の実施の形態】
以下、本発明を適用したディスク及びメモリカードのドライブ装置の実施の形態を図を参照して説明する。
まず、図１〜図７に示すように、このディスク及びメモリカードのドライブ装置１は、ディスク状記録媒体の一例であるＣＤ−ＲＯＭ、ＣＤ−ＲＷ、ＤＶＤ、ＤＶＤ−ＲＯＭ等の光ディスク２と、薄いカード型に構成され、電子回路が内蔵されたカード状記録媒体（カード型メディア）であるメモリカード３との２種類のメディアに文字情報や映像情報等のデジタル信号化された各種のデータを記録（書き込み）及び／又は再生（読み取り）を行えるようにしたものである。なお、光ディスク２の中心には円形状の中心穴２ａが形成されていて、メモリカード３の先端部分の下面には接続端子３ａが横一列状に形成されている。
【手続補正書】
【提出日】平成18年6月27日(2006.6.27)
【手続補正１】
【補正対象書類名】明細書
【補正対象項目名】特許請求の範囲
【補正方法】変更
【補正の内容】
【特許請求の範囲】
【請求項１】  オペレータの指示入力を判断する判断手段と、複数の選択項目を同時表示する表示手段と、選択項目の選択時間を計測する時間計測手段と、上記複数の選択項目を上記時間計測手段で計測される時間間隔で他と区別して１項目ずつ切り替え表示する表示制御手段と、上記判断手段によってオペレータの指示入力が判断された時に区別表示されている選択項目を選択して当該項目の機能を実行する入力制御手段とを備えたことを特徴とする情報処理装置。
【請求項２】  請求項１記載の情報処理装置において、選択項目を時間の推移に伴って切り替える場合に、次の選択項目の表示に切り替えるタイミングを、音声で報知するようにした音声制御手段を備えたことを特徴とする情報処理装置。
【請求項３】  請求項１記載の情報処理装置において、選択項目を表示する順序および選択項目が切り替わるまでの時間を任意に設定できる設定記憶手段を備え、前記表示制御手段は設定記憶手段に記憶された時間間隔で切り替え表示することを特徴とする情報処理装置。
【請求項４】  請求項１記載の情報処理装置において、選択項目指示入力後の一定時間内に再度の指示入力を判断した場合に先の指示入力を取り消す取り消し制御手段を備えたことを特徴とする情報処理装置。
【請求項５】  請求項１記載の情報処理装置において、上記指示入力を音声入力で行うことを特徴とする情報処理装置。
【手続補正２】
【補正対象書類名】明細書
【補正対象項目名】００１６
【補正方法】変更
【補正の内容】
【００１６】
【課題を解決するための手段】
本発明は、オペレータの指示入力を判断する判断手段と、複数の選択項目を同時表示する表示手段と、選択項目の選択時間を計測する時間計測手段と、上記複数の選択項目を上記時間計測手段で計測される時間間隔で他と区別して１項目ずつ切り替え表示する表示制御手段と、上記判断手段によってオペレータの指示入力が判断された時に区別表示されている選択項目を選択して当該項目の機能を実行する入力制御手段とを備えたものである。
【手続補正３】
【補正対象書類名】明細書
【補正対象項目名】００１７
【補正方法】削除
【補正の内容】
【手続補正４】
【補正対象書類名】明細書
【補正対象項目名】００１８
【補正方法】変更
【補正の内容】
【００１８】
さらに、本発明は、前記発明に係る情報処理装置において、選択項目を時間の推移に伴って切り替える場合に、次の選択項目の表示に切り替えるタイミングを、音声で報知するようにした音声制御手段を備えたものである。
【手続補正５】
【補正対象書類名】明細書
【補正対象項目名】００１９
【補正方法】変更
【補正の内容】
【００１９】
そして、本発明は、前記発明に係る情報処理装置において、選択項目を表示する順序および選択項目が切り替わるまでの時間を任意に設定できる設定記憶手段を備え、前記表示制御手段は設定記憶手段に記憶された時間間隔で切り替え表示するものである。
【手続補正６】
【補正対象書類名】明細書
【補正対象項目名】００２０
【補正方法】変更
【補正の内容】
【００２０】
また、本発明は、前記発明に係る情報処理装置において、選択項目指示入力後の一定時間内に再度の指示入力を判断した場合に先の指示入力を取り消す取り消し制御手段を備えたものである。
【手続補正７】
【補正対象書類名】明細書
【補正対象項目名】００２１
【補正方法】変更
【補正の内容】
【００２１】
さらに、本発明は、前記発明に係る情報処理装置において、上記指示入力を音声入力で行うものである。